(57)【特許請求の範囲】
【請求項１】
衛生ナプキン、おむつ、失禁用パッド又は同類物の如き吸収性製品であって、第１透液性被覆層（１）と第２不透液性被覆層（２）との間に包被された吸収体（３）を含み、ここで吸収体（３）は第１面（１１）と反対側の第２面（１３）とを呈する吸収層（６）を含み、更に吸収層（６）の第１面（１１）に接して配置された第１材料層と、吸収層の第２面（１３）に接して配置された第２材料層とを含む吸収性製品に於て、貫通スリット（１４）又は細長い開口形態で少なくとも一つの折曲指示部が前記吸収層（６）に配置され、吸収層（６）の一方の面（１３）はこの面と接触する材料層へ、前記折曲指示部を密接包囲した区域内でその指示部の両側に相互接合され、更に、前記区域内の吸収層の反対側の面（１１）はこの面（１１）と接触している材料層へは接合されず、それにより、製品が折曲指示部に対して主として垂直な方向の圧縮力を受けると、折曲指示部の両側の製品の部分は吸収層（６）の非接合側面から離れる方向に折曲されるように力を受けることを特徴とする吸収性製品。
【請求項２】
吸収層（６）は、少なくとも一つの折曲指示部（１４）の回りの区域で、透液性被覆層（２）へ相互接合され、それにより、この区域の製品の折曲は透液性被覆層（１）から離れる方向にだけ生じさせることができることを特徴とする請求の範囲第１項記載の吸収性製品。
【請求項３】
吸収層（５）は、少なくとも一つの折曲指示部（２２、２３）の回りの区域で、透液性被覆層（１）へ相互接合され、それにより、この区域の製品の折曲は不透液性被覆層（２）から離れる方向にだけ生じさせることができることを特徴とする請求の範囲第１項又は第２項記載の吸収性製品。
【請求項４】
吸収体（３）は一つよりも多い吸収層（５、６）を含むことを特徴とする請求の範囲第１項、第２項又は第３項に記載の吸収性製品。
【請求項５】
少なくとも一つの折曲指示部（１４、２２、２３）が少なくとも一つの追加吸収層（５、６）に構成されることを特徴とする請求の範囲第４項記載の吸収性製品。
【請求項６】
第１透液性被覆層（１）と共に第２不透液性被覆層（２）を含む衛生ナプキンであって、前記二つの被覆層（１、２）は被覆層により包被された吸収体（３）の回りで相互接合され、ここで吸収体（３）は第１吸収層（５）と第２吸収層（６）とを含み、前記二つの吸収層（５、６）はそれぞれ、透液性被覆層（１）の方へ向けられた第１面（１０、１１）と不透液性被覆層（２）の方へ向けられた第２面（１２、１３）とを有し、ここで第１吸収層（５）は透液性被覆層（１）のすぐ内側に配置され、前記衛生ナプキンは更に前方部分（７）、後方部分（８）、前方部分（７）と後方部分（８）との間に配置された股部分（９）、更には縦方向中心線（１５）、中心線（１５）の各側の縦方向側縁（２４、２５）、前方部分（７）の側縁（２４、２５）間の横方向前方縁（１７）、及び後方部分（８）の側縁（２４、２５）間の横方向後方縁（１６）を有する衛生ナプキンに於て、貫通中央スリット（１４）は衛生ナプキンの又は失禁用パッドの縦方向中心線（１５）に沿って第２吸収層（６）に配置され、また前記中央スリット（１４）は衛生ナプキンの後方縁（１６）からその前方縁（１７）の方向へ衛生ナプキンの長さの少なくとも一部に沿って延び、中央スリット（１４）の前記区域で第２吸収層（６）の第２面（１３）は不透液性被覆層（２）へ接合され、両層（２、６）間の接合区域（１８）は中央スリット（１４）を真っすぐに横切って本質的にその全長に沿って延び、第２吸収層（６）の第１面（１１）はこの面（１１）に接する層（５）へ本質的に結合されておらず、それにより中央スリット（１４）の両側に位置する衛生ナプキンの部分の折曲は、ナプキンが中央スリット（１４）に対して主に直角に指向される圧縮力を受けるとき、第２吸収層（６）の非接合面（１１）から離れる方向に折曲されるように力を受け、それにより衛生ナプキンは透液性被覆層（１）上に位置する衛生ナプキンの面で中央スリット（１４）の回りに隆起部（２７）を呈することを特徴とする衛生ナプキン。
【請求項７】
二つの貫通縁スリット（２２、２３）が第１吸収層（５）に、股区域（９）で衛生ナプキンの縦方向縁に沿って中央スリット（１４）の各側に一つずつ、構成され、第１吸収層（５）の上面（１０）は透液性被覆層（１）に相互接合され、ここで二つの層（１、５）間の各接合区域（１８）は各縁スリット（２２、２３）を真っすぐに横切って、本質的にその全長に沿って延び、第１吸収層（５）の第２面（１２）はこの面に接する層（６）へは本質的に結合されず、それにより、縁スリット（２２、２３）に対して実質的に垂直方向に作用する圧縮力は縁スリット（２２、２３）の外側の衛生ナプキンの部分（２８、２９）を透液性被覆層（１）に向かう方向へ持ち上げることを特徴とする請求の範囲第６項記載の衛生ナプキン。
【請求項８】
第１吸収層（５）は柔軟で弾性のある材料を含み、第２吸収層（６）は第１吸収層（５）よりも高い折曲抵抗を有すると共により高いウィッキング及び液体保持能力を有することを特徴とする請求の範囲第６項又は第７項記載の衛生ナプキン。
【請求項９】
第２吸収層（６）上の第１面（１１）は第１吸収層（５）の第２面（１２）に直接接触して配置されることを特徴とする請求の範囲第６項、第７項又は第８項の何れか一項記載の衛生ナプキン。
【発明の詳細な説明】
本発明は、衛生ナプキン、おむつ、失禁用パッド又は同様品の如き吸収性製品に関するものであり、前記吸収性製品は第１透液性被覆層と第２不透液性被覆層との間に包被された吸収体を含み、吸収体は第１面と第２面とを有した吸収層を含み、吸収層の第１面と接するように第１材料層が配置され、また吸収層の第２面と接するように第２材料層が配置される。
発明の背景
最近、衛生ナプキン、おむつ、失禁用パッド又は同様品の如き吸収性製品はより薄く且つより可撓性のあるものに作られており、一方、同時にそれらの構成材料は改良され高い吸収能力を達成している。このように、製品はそれらの効果は維持しながら、より着心地が良く且つ分離性を持って着用できるものになっている。他の重要な利点は製品をあまりかさばらないパッケージとして詰め込むことができ、それによりかなり貯蔵及び輸送に費用が掛からなくなっている。
しかしながら、より薄くなった新しい製品の利点を十分利用できるように、それらは何も入っていない利用されていない区域が包装時の製品間に形成されないような形状を有していることが望ましい。更に、また製品が包装される前に、形状又は機能を損なうことなしに、それらを一緒に折り畳み、使用者にとってより扱い易い形状にできることが望まれる。包装の観点から、かかる製品は本質的に平坦にすべきであり、形状は好ましくは長方形である。
しかしながら、これらの要件は使用中に製品に求められる要件にうまく一致しない。使用者の高快適性及び耐漏洩性を達成するために、製品は使用中、使用者の肌をこすりあるいは肌に刺激を与えることなしに使用者の体の形状に適した三次元形態をとらなければならない。
この問題を解決しようと現在までなされてきた試みの殆どは、大抵、吸収体に用いられるプラスチック又は同類物から作られた特殊形状素子を使用することに基礎を置いている。これらの形状素子は製品を使用したとき、使用者の体から圧力を受けることにより、例えば使用者の脚間で圧縮されることにより活性化される。かかる形状素子はEP 335252及びEP 335253に記載されている。
これら周知の形状素子の不利点は多い。それらは比較的高価で製造が複雑化され、このことは、材料消費量の増加と相俟って、完成品の生産をより費用のかかるものとする。所謂使い捨て製品、即ち一回使用しただけで捨てられるものと想定されている製品に就いて、製造コスト及び材料消費量は両方とも非常に重要な要因であり、製品を手ごろな価格で販売することができるように、また運搬、貯蔵及び最終的に廃棄しなければならない材料の量を最小化できるよに、相当な関心を払わねばならない。特に環境の観点から使用される材料の量を最小化することが望まれる。
他の不利点は特殊形状素子を含む製品は、形状素子を損傷又は破損することなしに、折り畳み包装できないことである。更に形状素子は、形状素子の鋭利な折り目又は角が使用者の肌を擦り刺激を与えるという危険性をもたらす。
使用時の吸収性製品成形をもたらす更なる方法は溶着部又は圧縮線形態の折り目指示部を製品に設けることによるものである。これに就いての主な不利点は、実際に目的の方向に所望の折曲又は折り畳みが生じるように制御することが不可能なことである。それよりも製品が反対方向に折り畳まれ折曲する危険性を考慮すべきである。これは製品の漏洩抵抗をひどく減少させる。更なる不利点は溶着部又は圧縮線が堅く硬化したものであり、これは使用者の肌を擦り刺激を与える危険性を考慮すべきことを意味する。特に、もし製品が使用前に折り畳まれていたなら、折り目線を横切る方向に折り畳まれた場所はどこも鋭利な角部又は折り目が形成されている危険性が大きい。
本発明の簡単な説明
しかしながら、本発明により、冒頭で上述した形式の吸収性製品が達成され、前記製品は従来周知のかかる製品に関する問題を除去するものである。
本発明により形成された製品は主に以下のことを特徴とする。即ち、貫通スリット又は細長い開口の形態の少なくとも一つの折曲指示部が吸収層に構成され；吸収層の面の一方はこの面に接して位置する材料層へ、前記折曲指示部を最密接包囲する区域内にその指示部の両側で、相互接合され；前記区域内の吸収層の他方の面はそれと接して位置する材料層へ接合されず、それにより、折曲指示部に対して主に垂直方向の圧縮力を製品が受けると、折曲指示部の両側に位置する製品の部分の折曲は吸収層の非接合面から離れる方向に強制的に生じることである。
更なる実施例及び特徴は以下の請求の範囲から明らかになろう。
スリット又は細長い開口を吸収層に構成し、前記スリット又は細長い開口は層の厚みを通じて延び、その縁部分は吸収層に隣接した他の材料層へ吸収層の片側で接合され、一方、吸収層の反対側の面のスリットの縁部分をスリット又は開口に対して主に垂直方向に互いに相手に関して可動にすることにより、吸収層が使用されているときその折曲及び形成は所望通りに指向及び制御できる。
かかる吸収体を有する製品の使用中に前記スリットは圧縮力と相互作用するが、吸収体はパンツの内側に配置されるときその圧縮力により影響を受ける。これに関連して、製品はパンツと使用者の体との間で圧縮され、また製品に対して主に垂直方向に作用する使用者の大腿部からの圧縮力を受ける。一つ又はそれ以上のスリット又は細長い開口の適当な形成及び位置決めにより、使用中、体液漏洩の危険性が最小化されると同時に使用者の快適性及び自由行動性も相当増加されるような態様で、吸収体をして使用者の体に合わせた形を取らしめることができる。
はっきりした、明瞭な折曲指示部として機能するために細長い開口はあまり広くしすぎないことが重要である。故に開口は最も適当にはスリット又は細いスロット形状をした孔として吸収層に形成される。故に、細長い開口の幅は５ｍｍよりも大きくすべきではない。しかしながら、極めて厚い吸収層（０．５ｃｍ又はそれよりも厚い）に於ては、幅が最高１．５ｃｍまでの開口を設けることが必要になる。
費用を増加させず硬化形状素子を用いずに、改良された三次元成形を驚くほど十分に生じさせることができる。更に、それは折曲が困難で、溶着部、圧縮部又は同様物を擦る剛化の使用を回避する。
【図面の簡単な説明】
以下で本発明は同封の図面に示される実施例に関してより詳細に述べられる。
図１は使用中、使用者の方へ向けられる側から見た本発明の衛生ナプキンの平面図を示す。
図２は図１に示す衛生ナプキンを通るII−II線に沿う横断面図を示す。
図３は図１の衛生ナプキンが使用中に呈する状態を斜視図で示す。
図４は図３に示す衛生ナプキンを通るIV−IV線に沿う横断面図を示す。
実施例の説明
図１ないし図４に示す衛生ナプキンは、例えば不織布、織布、パーホレーション付きプラスチックフィルム又はネットから作られた第１透液性被覆層１を含み、これは使用中、使用者の方へ向けられるよう意図された衛生ナプキンの側に付与される。例えばプラスチックフィルム又は疎水性不織布又は織布から作られた第２不透液性被覆層２は使用中、使用者から離れる方向に向けられるよう意図された衛生ナプキンの側に付与される。二つの被覆層は吸収体３を包被し、吸収体３の回りに張り出した被覆層１、２の部分４内で相互接続される。
吸収体３は透液性被覆層１のすぐ内側に配置された第１吸収層５を有し、適当には前記第１吸収層５は柔軟で圧縮可能な弾力性のある天然又は合成繊維パッド材料、あるいは柔軟で弾力性のある発泡材料を含有する。第２吸収層６は第１吸収層５のすぐ内側に配置され、適当には高ウィッキング(wickng)及び保持特性を有し体液に対する親和性が第１吸収層５よりも高い比較的堅い材料から成る。これらの基準を満たす材料はWO 94/10956に記載されている。同様の形式の材料であるが血液吸収に特に適した特性を有する材料はWO 94/10953に記載されている。フラッフ形成セルロースパルプ、吸収性発泡材料、あるいは各種形式のティッシュ積層体の従来の圧縮層もまた使用できる。高ウィッキング特性及び高液体保持特性を有する吸収性材料は大抵、高密度を有し、比較的曲げに強く適度に非弾性である。かかる材料から成る吸収層は圧縮力に対して敏感に反応するが、なぜならかかる材料は圧縮力により永久変形され鋭利な折り目や裂け目が吸収性材料に形成される恐れがあるからである。しばしばこれは分散障壁を形成する吸収層のクラックを通じてウィッキング特性を減じる。
他の危険性は吸収体３及び被覆層１、２の折り目が衛生ナプキンの外へ体液を導き結果として漏洩を生じさせるウィッキングチャンネルとして働くことである。第１吸収層５及び両被覆層は比較的柔軟で曲がり易いのでそれらは第２吸収層６と共に変形する。故に、また第２吸収層６に生じる折り目は、たとえかかる折り目が堅い第２吸収層６の折り目のように鋭利でなくとも、衛生ナプキンの残余部に於て折り目の形成をもたらす。
第１吸収層５は、衛生ナプキン使用時、体液を受け取りそれらを第２吸収層へ運ぶように意図されている。この流体は毛管作用及び重力により第２吸収層６へ運ばれる。第１吸収層５の材料は高い瞬間吸収能力を有するべきであり、それにより全ての放出された体液は吸収層５内に素早く吸収でき、吸収した流体は、通常は吸収速度が低い第２吸収層６へ運搬可能になるまで、吸収層５に収容しておくことができる。
吸収体３は所謂超吸収性剤又は親水コロイドを更に含むことができる。かかる材料は、通常スターチ又はアクリレート基のポリマーであり、これはその材料の自重の数倍に相当する量の体液を吸収し化学的に固定化することができる。超吸収性剤は例えば繊維、粒子、顆粒又はフィルム形態で使用できる。適当な全ての形式の超吸収性剤が使用できる。例えば、不織布又はワッディング形態の超吸収性繊維から全部又は一部が構成された超吸収性剤を吸収層５、６の一方又は両方に混入することが可能である。
衛生ナプキンは使用時に使用者の正面へ向けられるように意図された前方部分７と、使用中に使用者の背面へ向けられるように意図された後方部分８と、更に前方部分７と後方部分８との間の股部分９とを有する。衛生ナプキンは本質的に細長い台形状であり、それにより前方部分７は後方部分８よりも少しだけ幅広である。
吸収体３に含まれた両吸収層５、６は各々、透液性被覆層１に面した第１上面１０、１１と、更に不透液性被覆層２に面した第２下面１２、１３とを有する。第２吸収層６を通る中央スリット１４は衛生ナプキンの縦方向中心線１５に沿って配置され、衛生ナプキンの後部の横方向縁１６からほぼ４分の３の所まで衛生ナプキンの前部の横方向縁１７の方へ延びる。第２吸収層６の下面１３は中央スリット１４の区域に於て不透液性被覆層２へ膠着又は他の手段により接合される。二つの層６、２間の接合区域１８は中央スリット１４を横切って直線状に本質的にその全長に沿って延びることが必要である。このようにして、第２吸収層６の下面１３が中央スリット１４に対して垂直方向にたるんだり伸張したりすることは抑制される。これは一部には不透液性層２が吸収層６よりも弾性がないことが原因であり、また一部には中央スリット１４の両縁が互いに対して適正位置に錠止されており、中央スリットが不透液性層２に於て膨張できないことが原因である。第２吸収層６の上面１１上に対応接合区域が存在せず、それにより中央スリット１４は主としてスリット１４に対して直角方向に面１１で膨張できる。
中央スリット１４は折り目表示として機能するように意図されており、使用者の大腿部間で圧縮されると使用中に機能する。中央スリット１４の両縁は第２吸収層６の下面１３で互いに関して適正位置に錠止され、一方、対応上面１１にはかかる錠止は存在しないが、中央スリット１４に対して直角に作用する圧縮力により衛生ナプキンは図３及び図４に示す如くスリット１４の回りで曲げられる。この点に関して、中央スリットは不透液性被覆層２との接続により結合保持され、第２吸収層６を曲げることができるヒンジとして作用する。この折曲により第２吸収層の上面１１はその下面１３よりも大きい曲率半径が得られる。このことは通常は吸収性材料が伸張され且つこれにクラックが形成されるような力が上面１１にかかることを意味する。吸収体の折曲によるこれらの効果は、制御不能且つ通常は良くない態様で吸収体のウィッキング及び液体保持能力に影響を与えるので望ましくない。折曲のマイナス効果は上面１１に生じる折曲力により中央スリット１４の両縁が第２吸収層の上面１１で折曲離間されることにより図１ないし図４に示す衛生ナプキンに於て回避される。楔形状溝２１が中央スリット１４に沿って形成されることにより、第２吸収層６の伸張差はかなり均等化され、このようにして、吸収性材料に所望でない折り目が出現したり非制御態様のクラックが形成されたりすることなしに、吸収体の制御された適度な強さでの折曲を達成することが可能である。
また第１吸収層５は第２吸収層６が中央スリット１４の回りで曲がると曲がる。しかしながら、第１吸収層５の曲げ半径は第２吸収６の曲げ半径よりも大きく、それにより、第１吸収層５の上面１０に生じる引張力は中央スリット１４を第２吸収層６の対面１１で拡幅させる引張力よりも小さい。第１吸収層５としてある程度の弾性を持つ弾力性のある材料を選択することにより、第１吸収層５にクラックが形成される恐れが完全になくなる。更に、第１吸収層５に作用する引張力のマイナス効果の一部は、吸収層５を不透液性被覆層２に関して移動可能にすることにより、また吸収層５が折曲中に伸張されるとき被覆層２に対接して滑動可能にすることにより除去される。
第１吸収層５は第２吸収層６の中央スリット１４を覆って延びる。これは衛生ナプキンの使用中、ナプキンが曲げられたときスリット１４に沿って形成される楔形状溝２１が柔軟な第１吸収層５により完全に覆われることを意味する。この理由で、使用者の方へ向けられる衛生ナプキンの面は完全に平滑化され、また使用者の肌を擦り又は刺激を与えるような不快さを生じることはない。一般に、使用者の方へ開放したかかるスリットを覆って柔軟な比較的広々した、切れ目のない層を配置することは賢明であり、そのようにしなければ使用者の方へ向けられる衛生ナプキンの外方層１に於て楔形状溝２１は凹凸のあるものに感じられる。
更に二つの貫通スリット２２、２３が股部分９で衛生ナプキンの縦方向縁２４、２５に沿って第１吸収層５に配置される。これら縁スリット２２、２３で第１吸収層５の上面１０は透液性被覆層１に接合される。中央スリット１４の接合部と同様に、各種多くの方法で接合を行うことができるが、その際、各接合区域１８内の縁スリット２２、２３はそれらの縁が離れて動くことができないように錠止されていることが必要である。第１吸収層５の下面１２で、縁スリット２２、２３に沿って第２吸収層の上面１１へは接合されない。縁スリット２２、２３をこのように配置することにより、衛生ナプキンは中央スリット１４で折曲される方向と反対の方向に、使用中に生じる圧縮力により、縁スリット２２、２３に沿って曲げられる。
更に図１ないし図４の衛生ナプキンは取り付け手段２６を含み、前記取り付け手段は不透液性被覆層２に配置され、自己接着性の溶融可能膠着剤、所謂ホットメルト、の縦方向ストリング形態をとる。取り付け手段２６は衛生ナプキンの外側に位置する不透液性被覆層２の側に付与される。剥離剤で処理された除去可能保護層（図示せず）が使用に先立って取り付け手段２６の上方に付与され、衛生ナプキンの使用前に取り付け手段が汚れたり望ましくない粘着をしないように保護する。当然、適当であるならば他の如何なる形式の取り付け装置も使用することができる。かかる取り付け装置の例は高摩擦面、フック・アンド・ループテープ及び他の形式の機械的取り付け手段、例えばストラップ、プッシュボタン、クリップ又は同類物である。
使用中、衛生ナプキンは使用者の大腿部間で絞られると、縦方向隆起部、即ち所謂ハンプと、このハンプ２７の両側の隆起側縁２８、２９とを有した図３及び図４に示す形状を呈する。衛生ナプキンの股部分９で、ハンプ２７の高さ及び側縁２８、２９の隆起は使用者の大腿部間の圧縮程度により調整される。一定の曲げ抵抗及び曲げ弾性が衛生ナプキンの構成材料内に存在することにより、衛生ナプキンはもし圧縮力が減少したならば、常に、その平坦な形状に少なくともある程度まで復帰する。更には、第１の吸収層の柔軟で弾性のある材料はハンプ２７を使用者の体と接触させておくのに役立つ。衛生ナプキンの後方部分８で、ナプキンは比例して強く押圧され、横断面に於てそれはＶ字形状を呈し、その頂点は使用者の方に向いている。このＶ字形状突条３０は会陰区域に於て使用者の人体形状に注意深く追従し、使用者の臀部間で後方への流体漏洩を防ぐシールとして役立つ。隆起側縁２８、２９は流体が衛生ナプキンの縦方向縁２４、２５を通って流れ出ることを防ぐ。更に、膨張した縁スリット２２、２３はそれ自体が、側方漏洩に対する流体遮閉部を構成し、それらが、縁スリット２２、２３に対して垂直方向に、第１吸収層内の流体の分散を遮る。
吸収層５、６のスリット１４、２２、２３は上述の如く構成されるので、衛生ナプキンは使用中、常に所望の予め決められた形状をとる。例えば、縁部分が反対方向に折れ曲がり、それにより衛生ナプキン内にもたらされる体液が縦方向側縁２４、２５を通り過ぎて漏洩する危険性は殆ど完全に除去される。
使用中に、衛生ナプキンは取り付け手段２６の自己接着性の膠着剤を用いて使用者のブリーフの内側に取り付けられる。このように、ブリーフの材料は衛生ナプキンと同様に形作られ、本質的に図３及び図４に示されるように折曲される。
当然、全く同一の層、好ましくは第２吸収層６に縁スリット２２、２３及び中央スリット１４の両方を配置することも可能である。かかる実施例に於て、二つの吸収層５、６は縁スリット２２、２３の回りで一緒に接合しなければならない。しかしながら、前記構成は、層５、６間の相互可動性が中央スリット１４区域に於いても減じられるので、あまり好ましくない。
衛生ナプキンに中央スリットだけ、あるいは縁スリットだけを設けることも更に可能である。当然、上述のもの以外のスリット配置を考えることもできる。例えば、中央スリットは二つの末広がり状スリットと共に前方に延びることができ、ここでスリットの回りの区域は透液性被覆層の方へ向けられた吸収層の側の接着面へ接合される。このように、使用中、衛生ナプキンの前方部分は使用者の外性器へ一致したカップ状形態を呈する。
本発明による衛生ナプキンは更なる層及び構成要素から成ることができ、例えば衛生ナプキンは追加吸収層、特殊ウィッキング層、あるいは特殊層を含むことができ、この層に吸収層のスリット及び開口を接合できる。更には、透液性被覆層は従来の方法で、互いに異なる特性を有する一つよりも多い材料層から構成することができる。
本発明は衛生ナプキンに関して上述してきた。明瞭なことだが、本発明は衛生ナプキンに制限されるものと考えられるべきではなく、使用中、平坦な形状から使用者の人体形状に適合する形状へ変形される全ての形式の吸収性製品に有利には本発明によるスリット又は細長い開口を設けることができる。更に、本発明は上記台形形状に制限されることなく、吸収性製品に適した任意の形状を想到できることは勿論である。
従って、本発明は上述の又は上で提案された実施例に限定されるものとして理解すべきではなく、以下の請求の範囲の範囲内の全ての改変例又は実施例も含む。
【図１】
0003705605.tif 000002
【図２】
0003705605.tif 000003
【図３】
0003705605.tif 000004
【図４】
0003705605.tif 000005